(57)【要約】【課題】建物側に設けられた排水部の位置に影響を受けにくく、水受け部の位置を決めることができる構造体、排水設備及び排水設備の製造方法を提供する。【解決手段】構造体３は、水平面に沿う設置面Ｘ１と、設置面Ｘ１に対して間隔をおいて上方に配置された水受け部２２と、の間に配置される。構造体３は、本体４と、排水配管５と、取付け具６と、を備える。本体４は、前面４ａ、及び前面４ａに対し間隔をおいて後方に位置する後面４ｂを有する。排水配管５は、平面視において、前面４ａと後面４ｂとの間に配置され、水受け部２２に通じる。取付け具６は、本体４に取り付けられ、かつ排水配管５が取り付けられる。【選択図】図１
2020084742.tif 000002
【特許請求の範囲】
【請求項１】
水平面に沿う設置面と、前記設置面に対して間隔をおいて上方に配置された水受け部と、の間に配置される構造体であって、
前面、及び前記前面に対し間隔をおいて後方に位置する後面を有する本体と、
平面視において前記前面と前記後面との間に配置され、前記水受け部に通じる排水配管と、
前記本体に取り付けられ、かつ前記排水配管が取り付けられた取付け具と、
を備える、
構造体。
【請求項２】
前記排水配管は、水平面に沿う横管を有し、
前記取付け具は、
前記本体に取り付けられた第一取付け部と、
前記横管が取り付けられ、前記第一取付け部に対して上下方向に位置変更可能に取り付けられた第二取付け部と、
を有する、
請求項１記載の構造体。
【請求項３】
前記本体は、前記設置面に対する前記本体の上面の高さ位置を可変とする高さ調整部を有する、
請求項１又は請求項２記載の構造体。
【請求項４】
前記排水配管は、下流側の端部に形成され建物側に設けられた排水部に接続可能な接続部を有する、
請求項１〜３のいずれか一項に記載の構造体。
【請求項５】
前記接続部の開口面に直交する中心軸は鉛直面に交差する、
請求項４記載の構造体。
【請求項６】
前記前面と前記後面との間の寸法は、前記水受け部の前後方向の寸法よりも小さい、
請求項１〜５のいずれか一項に記載の構造体。
【請求項７】
水平面に沿う設置面上に設置される構造体と、
前記構造体の上に取り付けられた水受け部と、
を備え、
前記構造体は、
前面、及び前記前面に対し間隔をおいて後方に位置する後面を有する本体と、
平面視において前記前面と前記後面との間に配置され、前記水受け部に通じる排水配管と、
前記本体に取り付けられ、かつ前記排水配管が取り付けられた取付け具と、
を有する、
排水設備。
【請求項８】
前記水受け部がシンクである、
請求項７記載の排水設備。
【請求項９】
前記排水配管は、下流側の端部に形成され建物側に設けられた排水部につながる接続部を有し、
前記排水設備は、前記排水部と前記接続部とをつなぐ経路の少なくとも一部に設けられたフレキシブル管を更に備える、
請求項７又は請求項８記載の排水設備。
【請求項１０】
請求項１〜６のいずれか一項に記載の構造体を前記設置面上に設置する第一工程と、
前記第一工程の後、前記排水配管を建物側に設けられた排水部につなぐ第二工程と、
前記構造体の上に水受け部を設置する第三工程と、
前記第一工程及び前記第三工程の後、前記水受け部と前記排水配管とをつなぐ第四工程と、
を備える、
排水設備の製造方法。
【発明の詳細な説明】
【技術分野】
【０００１】
本発明は、構造体、排水設備及び排水設備の製造方法に関する。
【背景技術】
【０００２】
特許文献１には、従来の排水設備（対面式厨房装置）が記載されている。この特許文献１に記載の対面式厨房装置は、床面に取り付けられた箱体と、箱体の上端の開口に取り付けられたシンクと、を備える。
【０００３】
シンクには、排水管が接続されている。排水管の下端部は、床面に設けられた排水部に接続されている。排水管は、床面から上方向に立ち上がり、床面の上方に位置するシンクに接続される。
【先行技術文献】
【特許文献】
【０００４】
【特許文献１】特開２０１８−７９０３８号公報
【発明の概要】
【発明が解決しようとする課題】
【０００５】
ところで、特許文献１に記載の対面式厨房装置では、シンクを、床面に設けられた排水部の上方に配置する必要がある。このため、特許文献１に記載の対面式厨房装置では、設置場所に制約を受けやすいという問題がある。
【０００６】
本発明は、上記事情に鑑みてなされ、建物側に設けられた排水部の位置に影響を受けにくく、水受け部の位置を決めることができる構造体、排水設備及び排水設備の製造方法を提供することを目的とする。
【課題を解決するための手段】
【０００７】
本発明に係る一態様の構造体は、水平面に沿う設置面と、前記設置面に対して間隔をおいて上方に配置された水受け部と、の間に配置される。前記構造体は、本体と、排水配管と、取付け具と、を備える。本体は、前面、及び前記前面に対し間隔をおいて後方に位置する後面を有する。排水配管は、平面視において前記前面と前記後面との間に配置され、前記水受け部に通じる。取付け具は、前記本体に取り付けられ、かつ前記排水配管が取り付けられる。
【０００８】
本発明に係る一態様の排水設備は、水平面に沿う設置面上に設置される構造体と、前記構造体の上に取り付けられた水受け部と、を備える。前記構造体は、本体と、排水配管と、取付け具と、を備える。本体は、前面、及び前記前面に対し間隔をおいて後方に位置する後面を有する。排水配管は、平面視において前記前面と前記後面との間に配置され、前記水受け部に通じる。取付け具は、前記本体に取り付けられ、かつ前記排水配管が取り付けられる。
【０００９】
本発明に係る一態様の排水設備の製造方法は、第一工程と、第二工程と、第三工程と、第四工程と、を備える。前記第一工程は、前記構造体を前記設置面上に設置する。前記第二工程は、前記第一工程の後、前記排水配管を建物側に設けられた排水部につなぐ。前記第三工程は、前記構造体の上に水受け部を設置する。前記第四工程は、前記第一工程及び前記第三工程の後、前記水受け部と前記排水配管とをつなぐ。
【発明の効果】
【００１０】
本発明に係る上記態様の構造体、排水設備及び排水設備の製造方法によれば、建物側に設けられた排水部の位置に影響を受けにくく、水受け部の位置を決めることができる、という利点がある。
【図面の簡単な説明】
【００１１】
【図１】図１は、本発明の一実施形態に係る排水設備の斜視図である。
【図２】図２Ａは、同上の排水設備の分解斜視図である。図２Ｂは、図２ＡにおけるＡ部分拡大図である。
【図３】図３は、同上の水受け部での鉛直断面図である。
【図４】図４は、同上の本体の斜視図である。
【図５】図５は、同上の排水設備の製造方法における第一工程を説明する斜視図である。
【図６】図６は、同上の排水設備の製造方法における第二工程を説明する斜視図である。
【図７】図７は、同上の排水設備の製造方法における第三工程においてケースを設置することを説明する斜視図である。
【図８】図８は、同上の排水設備の製造方法における第三工程においてワークトップを設置することを説明する斜視図である。
【図９】図９は、同上の排水設備の製造方法において、構造体に覆い壁を取り付けることを説明する斜視図である。
【図１０】図１０は、同上の排水設備の製造方法において、キャビネット及び食器洗浄機を設置することを説明する斜視図である。
【図１１】図１１Ａは、変形例１に係る取付け具の拡大斜視図である。図１１Ｂは、変形例１に係る取付け具の分解斜視図である。
【図１２】図１２は、変形例２に係る高さ調整部の斜視図である。
【発明を実施するための形態】
【００１２】
（１）実施形態
（１．１）概要
本実施形態に係る構造体３は、図１に示すように、水平面に沿う設置面Ｘ１に設置される。構造体３は、水受け部２２と設置面Ｘ１との間に配置される。本開示でいう「設置面Ｘ１」は、構造体３が設置される面であり、本実施形態では、床面である。ただし、設置面Ｘ１は、床面に限らず、例えば、カーペットの上面、土間の上面、タイルの上面、ガラス面の上面等であってもよい。また、設置面Ｘ１は、平面に限らず、凹凸面であってもよい。
【００１３】
構造体３は、本体４と、排水配管５と、取付け具６と、を備える。本体４は、前面４ａ及び後面４ｂを有する。後面４ｂは、前面４ａに対して間隔をおいて後方に位置している。排水配管５は、平面視において本体４の前面４ａと後面４ｂとの間に配置される。取付け具６は、本体４に取り付けられる。そして、取付け具６には、排水配管５が取り付けられる。
【００１４】
このため、本実施形態に係る構造体３によれば、構造体３の内部で排水配管５を配管することができ、排水配管５を構造体３で支えることができる。このため、仮に、排水部Ｘ３と水受け部２２とが離れていても、排水配管５を構造体３の内側で安定して支えることができる。この結果、本実施形態に係る構造体３によれば、建物側に設けられた排水部Ｘ３の位置に影響を受けず、水受け部２２の位置を決めることができる。
【００１５】
（１．２）詳細
（１．２．１）全体構成
排水設備１は、給水栓１１から供給された水を受ける部分を有し、受けた水を排水する機能を持つ設備である。本実施形態に係る排水設備１は、キッチンに設置されるキッチン設備である。ただし、本開示に係る排水設備１としては、キッチン設備に限らず、例えば、洗面台、手洗い台、流し台等であってもよい。
【００１６】
排水設備１は、本実施形態では、主に、マンションのリビングキッチンに設置される。本実施形態に係る排水設備１では、後述の「（１．２．３）構造体」で説明するように、排水配管５が取り付けられた構造体３を用いて排水設備１を設置することから、配管を通すための孔を壁材等に開ける作業を減らすことができる。ただし、本開示では、排水設備１は、マンションに限らず、例えば、戸建て住宅や非住宅施設に設置されてもよい。非住宅施設としては、例えば、店舗、集会場、工場等が挙げられる。また、本開示では、リビングキッチンに限らず、例えば、キッチン、リビング、ダイニング、ダイニングキッチン、脱衣所等であってもよい。
【００１７】
本実施形態に係る排水設備１は、カウンタ２と、構造体３と、給水栓１１と、を備える。
【００１８】
（１．２．２）カウンタ
カウンタ２は、上面に作業を行う面（作業面２８３）を含む部材である。本実施形態に係るカウンタ２では、作業面２８３で行う作業は、食材を切ることを含む料理である。カウンタ２は、本実施形態では、壁面Ｘ２に取り付けられている。ここで、本開示では、壁面Ｘ２に直交する方向を、「前後方向」として定義し、壁面Ｘ２に沿い、かつ水平面に沿う方向を「左右方向」として定義する。また、前後方向のうち、壁面Ｘ２からカウンタ２に向かう方向を「前方向」とし、その反対方向を「後方向」として定義する。
【００１９】
カウンタ２の前後方向の長さ（幅寸法という場合がある）は、左右方向の長さ（長さ寸法という場合がある）よりも短い。カウンタ２は、壁面Ｘ２に対し、後方向の端部において、左右方向の全長にわたって接合されており、いわゆる片持ち梁状に支えられている。要するに、本実施形態に係るカウンタ２は、フロート式カウンタである。本開示でいう「フロート式カウンタ」とは、下方にスペースがあり、一見すると浮いているように見えるカウンタ２を意味する。ここでいう「スペース」は、ユーザが作業中に座ることができる椅子（例えば、キッチンチェア又はカウンターチェア）が入る程度のスペースを意味する。
【００２０】
カウンタ２は、キッチンカウンタであり、図１に示すように、加熱調理機器２１と、ケース２６と、ワークトップ２８と、水受け部２２と、を備える。ここで、本開示でいう「キッチンカウンタ」とは、料理に用いられるカウンタ２であることを意味する。したがって、リビングの壁に取り付けられたカウンタ２であっても、水受け部２２又は加熱調理器を有し、料理を行うことができるカウンタ２であれば、本開示でいう「キッチンカウンタ」に含まれる。
【００２１】
（１．２．２．１）加熱調理機器
加熱調理機器２１は、加熱調理を行う機器である。本実施形態に係る加熱調理機器２１は、いわゆるビルトインタイプの加熱調理器であり、より詳しくは、ドロップインタイプの加熱調理器である。加熱調理器としては、本実施形態では、ＩＨ（Induction Heating）調理器であるが、例えば、ガスこんろ、電気こんろ等であってもよい。また、本実施形態では、ビルトインタイプの加熱調理器であるが、本開示では、載置タイプのテーブルこんろであってもよい。
【００２２】
加熱調理器は、本実施形態では、後述のワークトップ２８に形成された機器設置部２８１に設置され、例えば、操作部を有する加熱調理器の前面は、ケース２６の前板２７１の開口面（不図示）から露出する。
【００２３】
（１．２．２．２）ケース
ケース２６は、カウンタ２において、加熱調理機器２１及び水受け部２２を収める箱である。ケース２６は、本実施形態では、図２に示すように、左右方向に並ぶ複数の箱体２７で構成されている。複数の箱体２７同士は、互いに固定されている。複数の箱体２７同士の固定は、互いに固着体によって、直接的に固定されてもよいし、構造体３を介して互いに固定されてもよいし、壁面Ｘ２を介して互いに固定されてもよい。
【００２４】
各箱体２７は、前板２７１、背板２７２、一対の側板２７３及び底板２７４を備えた箱状に形成されており、上面に開口面を有する。箱体２７の開口面は、ワークトップ２８で覆われる。本実施形態では、各箱体２７は、壁面Ｘ２に対して取り付けられ、かつ構造体３に対して、載った状態で取り付けられている。これにより、各箱体２７は、壁面Ｘ２に対して固定されている。
【００２５】
壁面Ｘ２に対する各箱体２７の取付けは、例えば、背板２７２と壁面Ｘ２とを、固着体で留めることで実現してもよいし、ケース２６の下面の後端部に取り付けられた桟木を、壁面Ｘ２に対して固着体で留めることで実現してもよい。ここで、本開示でいう「固着体」には、例えば、ねじ、木ねじ、ビス、釘、ピン、リベット、ボルト、鋲、かすがい、Ｌ字金具等の留め具のほか、接着材、両面テープ等の粘着層を持つ物も含まれる。
【００２６】
本開示に係るケース２６では、複数の箱体２７のうちの少なくとも一つの箱体２７が、収納部であってもよい。収納部は、例えば、前後方向に沿って延びた一対のガイドレールと、一対のガイドレールに沿って移動する収納箱と、を備える。一対のガイドレールは、例えば、左右方向に離れて配置され、箱体２７、構造体３又は壁面Ｘ２に対して取り付けられる。各ガイドレールは、例えば、二つのレールが前後方向に相互に可動するスライドレールであってもよい。
【００２７】
ケース２６は、本実施形態では、複数の箱体２７で構成されているが、例えば、前板、背板、一対の側板及び底板を備えた一つの箱体で構成されてもよいし、一つの箱体内を複数の仕切りで仕切ることで構成されてもよい。
【００２８】
（１．２．２．３）ワークトップ
ワークトップ２８は、上面の少なくとも一部において作業面２８３を含む板状体である。ワークトップ２８の上面は、本実施形態では、水平面に沿っている。ワークトップ２８は、例えば、合成樹脂、人造大理石、ステンレス、天然石、集成材、無垢材、タイル等で形成される。ワークトップ２８は、作業面２８３のほか、機器設置部２８１と、水受け部設置部２８２と、を備える。
【００２９】
機器設置部２８１は、加熱調理機器２１が設置される部分である。機器設置部２８１は、本実施形態では、ワークトップ２８の上面の一部に形成された開口面で構成される。本実施形態に係る加熱調理機器２１は、上述の通り、ドロップインタイプの加熱調理器であり、機器設置部２８１に対し、上から落とし込まれることで設置される。機器設置部２８１は、本実施形態では、作業面２８３に対し、左右方向のうちの一方側に形成される。機器設置部２８１は、作業面２８３に対して隣接している。
【００３０】
本開示でいう機器設置部２８１は、加熱調理機器２１が設置される部分であればよい。例えば、加熱調理機器２１がテーブルこんろである場合、機器設置部２８１は、テーブルこんろを載せる台である。
【００３１】
水受け部設置部２８２は、水受け部２２が設置される部分である。水受け部設置部２８２は、本実施形態では、ワークトップ２８の上面の一部に形成された開口面である。ただし、ワークトップ２８と水受け部２２とが一体であってもよい。この場合、ワークトップ２８と水受け部２２との境界を水受け部設置部２８２とする。水受け部設置部２８２は、本実施形態では、作業面２８３に対し、左右方向のうちの機器設置部２８１側とは反対側に形成される。水受け部設置部２８２は、作業面２８３に対して隣接している。要するに、本実施形態では、作業面２８３は、機器設置部２８１と水受け部設置部２８２との間に形成されている。
【００３２】
ただし、本開示では、作業面２８３、機器設置部２８１及び水受け部設置部２８２の位置関係は、特に制限されない。本開示に係るワークトップ２８では、例えば、左右方向に沿って、機器設置部２８１、水受け部設置部２８２及び作業面２８３の順に配置されてもよいし、水受け部２２、機器設置部２８１及び作業面２８３の順に配置されてもよい。
【００３３】
（１．２．２．４）水受け部
水受け部２２は、給水栓１１（図１）から供給された水を受ける部分である。水受け部２２は、本実施形態では、シンクである。本開示に係る水受け部２２は、例えば、流し台用の水槽、洗面ボウル等であってもよい。水受け部２２は、水受け部設置部２８２に設置されており、水受け部２２の下部がワークトップ２８の下面よりも下方向に突出している。水受け部２２は、ケース２６に収められ、設置面Ｘ１に対して上方に間隔をおいて配置されている。そして、水受け部２２は、設置面Ｘ１上で、ケース２６を介して構造体３によって支えられている。本実施形態に係る水受け部２２は、図３に示すように、水受け部本体２３と、排水容器２４と、排水接続部２５と、を備える。
【００３４】
水受け部本体２３は、給水栓１１から供給された水を受ける。水受け部本体２３は、水受け部２２の主体となる部分である。水受け部本体２３は、本実施形態では合成樹脂から形成されるが、例えば、ステンレス、セラミック、陶器、ほうろう、大理石、人造大理石、天然石等から形成されてもよい。水受け部本体２３は、前壁２３１、後壁２３２、一対の側壁２３３及び底壁２３４を備えた略箱状に形成されており、上面に開口面を有する。
【００３５】
排水容器２４は、水受け部本体２３の底壁２３４に設けられている。排水容器２４は、上面に開口面を有する。排水容器２４の開口面は、水受け部本体２３の底壁２３４と面一に形成されている。排水容器２４は、本実施形態では、水受け部本体２３の底壁２３４に対し一体に形成されている。ただし、排水容器２４は、水受け部本体２３の底壁２３４に対して、一体である必要はなく、パッキンを介して取り付けられてもよい。
【００３６】
排水容器２４の底壁２４１には、排水口２４２が形成されている。排水口２４２は、排水容器２４の底壁２４１を上下方向に貫通する。水受け部本体２３で受けられた水は、排水容器２４に入り、排水口２４２を通って排水される。
【００３７】
排水接続部２５は、排水口２４２と排水配管５とをつなぐ。排水接続部２５は、本実施形態では、排水容器２４の下面から下方向に突出し、かつ外面に雄ねじが形成された部分を持つバルブソケットである。バルブソケットの内部は、排水口２４２と通じている。
【００３８】
ただし、本開示では、排水接続部２５は、排水配管５と排水口２４２とを接続できれば、バルブソケットに限らず、雄ねじが形成されていないソケットであってもよいし、排水口２４２に通じる短管であってもよい。
【００３９】
水受け部２２は、ケース２６に収められる。水受け部本体２３の底壁２３４は、ケース２６の底板２７４に載る。ケース２６の底板２７４は構造体３によって支えられているため、水受け部２２も構造体３によって支えられる。ケース２６の底板２７４には、水受け部２２の排水容器２４及び排水接続部２５を通す開口２７５が形成されている。したがって、排水容器２４及び排水接続部２５は、ケース２６の底板２７４の下面から下方向に突出している。
【００４０】
（１．２．３）構造体
構造体３は、設置面Ｘ１とカウンタ２との間に配置される。構造体３の上面は、カウンタ２（詳しくは、ケース２６）の下面に接触しており、カウンタ２に対して取り付けられている。要するに、構造体３は、設置面Ｘ１上で、カウンタ２を下から支えている。構造体３は、図２に示すように、本体４と、排水配管５と、取付け具６と、覆い壁９（図３）と、を備える。
【００４１】
（１．２．３．１）本体
本体４は、図４に示すように、少なくとも前面４ａ及び後面４ｂを有し、構造体３の主体をなす。本体４は、本実施形態では、フレームで構成されている。本実施形態に係るフレームは、複数の長尺なフレーム材で骨組が形成されている。本開示に係るフレーム材の断面形状は、正方形状であるが、例えば、長方形状、六角形状、八角形状、円形状（正円、長円及び楕円を含む）等であってもよい。なお、フレームは、パイプで構成されてもよい。ここでいう「パイプ」は、細長くて中空な部材を意味する。また、フレームは、角材のような中実な材で構成されてもよい。
【００４２】
フレームは、本実施形態では、アルミニウム製である。ただし、本開示では、フレームは、例えば、スチール、ステンレス、カーボン、合成樹脂、繊維強化プラスチック、木材等で構成されてもよい。
【００４３】
本体４は、複数（ここでは、四つ）の脚４１と、載置部４４と、下枠４８と、複数（ここでは二つ）の縦桟４９と、を備える。
【００４４】
複数の脚４１は、設置面Ｘ１上において載置部４４を支える。各脚４１の長手方向は上下方向に沿っており、各脚４１は、設置面Ｘ１から載置部４４まで延びている。複数の脚４１は、左右方向に一定の間隔で配置されており、互いに略平行である。本実施形態の脚４１は、脚本体４２と、高さ調整部４３と、を備える。
【００４５】
脚本体４２は、脚４１の主体となる部分である。脚本体４２の長手方向は上下方向に沿っている。脚本体４２の下端面には、高さ調整部４３が取り付けられるねじ孔が形成されている。
【００４６】
高さ調整部４３は、設置面Ｘ１に対する本体４の上面の高さ位置を可変とする。高さ調整部４３は、本実施形態では、複数のアジャストボルト４３１である。各アジャストボルト４３１は、脚本体４２の下端面に取り付けられており、設置面Ｘ１に載っている。各アジャストボルト４３１は、脚本体４２の下端面に対するねじ込み代を変えることで、設置面Ｘ１と脚本体４２との間の長さを可変とし、これによって、設置面Ｘ１に対する本体４の上面の高さ位置を可変とする。本実施形態に係る高さ調整部４３では、複数のアジャストボルト４３１の各々について、高さ調整することで、本体４の上面の水平度を調整することができる。
【００４７】
ただし、高さ調整部４３は、設置面Ｘ１に載る複数のアジャストボルト４３１に限らない。例えば、高さ調整部４３として、各脚本体４２の長さ方向の途中に設けられたアジャストボルトであってもよい。また、テレスコピックパイプで脚４１を構成し、本体４の上面の高さ位置を可変としてもよい。
【００４８】
載置部４４は、カウンタ２が載る部分である。載置部４４の上面は、構造体３の上面である。載置部４４は、枠状に形成されている。載置部４４は、第一受け部４５と、複数の第二受け部４６と、を備える。
【００４９】
第一受け部４５は、カウンタ２の前後方向のうちの壁側の端部を支える。第一受け部４５は、後横桟（以下、第一後横桟４５１）と、前横桟（以下、第一前横桟４５２）と、複数の連結桟（以下、第一連結桟４５３）と、を備える。第一後横桟４５１、第一前横桟４５２及び第一連結桟４５３は、矩形枠状に形成されている。第一後横桟４５１の長手方向は左右方向に略平行であり、壁面Ｘ２に沿っている。第一後横桟４５１は、左右方向において、構造体３の一方の端から他方の端まで延びている。第一後横桟４５１は、本実施形態では、壁面Ｘ２に対して、固着体で固定される。第一後横桟４５１は、図３に示すように、ケース２６の背板２７２の直下に位置しており、平面視において、ケース２６の背板２７２の少なくとも一部に重なる。第一前横桟４５２は、図４に示すように、第一後横桟４５１に対して、間隔をおいて前方向に位置している。第一前横桟４５２の長手方向は、第一後横桟４５１の長手方向に略平行である。第一前横桟４５２と第一後横桟４５１とは、左右方向において一定のピッチで、第一連結桟４５３で連結されている。各第一連結桟４５３の長手方向は前後方向に略平行である。
【００５０】
ケース２６の底板２７４は、図３に示すように、第一後横桟４５１、第一前横桟４５２及び第一連結桟４５３に載り、第一後横桟４５１、第一前横桟４５２及び第一連結桟４５３で支えられる。ケース２６の底板２７４から下方向に突出する排水容器２４及び排水接続部２５は、第一後横桟４５１、第一前横桟４５２及び第一連結桟４５３に囲まれた部分から下方向に突出する。
【００５１】
複数の第二受け部４６は、カウンタ２において、第一受け部４５に載る部分よりも前側の部分を支える。第二受け部４６は、図３に示すように、脚４１よりも前方向に突出する。各第二受け部４６の前側の端は、本実施形態では、カウンタ２の前後方向の中央部に位置するが、本開示では、カウンタ２の前後方向の中央部よりも前側に位置してもよい。第二受け部４６は、図４に示すように、第一連結桟４５３と一体であるが、平面視において第一連結桟４５３から左右方向にずれた位置に設けられてもよい。
【００５２】
本実施形態に係る本体４は、第二受け部４６の一部と、脚４１の一部とをつなぐ複数の筋交い４７を備える。本実施形態では、筋交い４７は、第二受け部４６の前方向の先端と、脚４１の長手方向において中央よりも上側とをつないでいる。各筋交い４７の長手方向は鉛直面に対して傾いている。本実施形態では、複数の筋交い４７を備えることで、第二受け部４６の強度を向上させることができる。ただし、本開示に係る構造体３では、筋交い４７は設けられなくてもよい。
【００５３】
下枠４８は、取付け具６が取り付けられる部分である（図２参照）。下枠４８は、枠状に形成されている。下枠４８は、後横桟（以下、第二後横桟４８１）と、前横桟（以下、第二前横桟４８２）と、複数（ここでは五つ）の連結桟（以下、第二連結桟４８３）と、を備える。第二後横桟４８１、第二前横桟４８２及び第二連結桟４８３は、矩形枠状に形成されている。第二後横桟４８１の長手方向は左右方向に略平行であり、壁面Ｘ２に沿っている。第二後横桟４８１は、左右方向において、構造体３の一方の端から他方の端まで延びている。第二後横桟４８１は、本実施形態では、壁面Ｘ２に対して、固着体で固定されている。第二前横桟４８２は、第二後横桟４８１に対して、間隔をおいて前方向に位置している。第二前横桟４８２の長手方向は、第二後横桟４８１の長手方向に略平行である。第二前横桟４８２と第二後横桟４８１とは、左右方向において一定のピッチで、第二連結桟４８３で連結されている。各第二連結桟４８３の長手方向は前後方向に略平行である。
【００５４】
一対の縦桟４９は、載置部４４から下枠４８まで延びており、載置部４４と下枠４８とをつなぐ。一対の縦桟４９の長手方向は上下方向に略平行である。一対の縦桟４９の後面４ｂは、壁面Ｘ２に対向し、本実施形態では接触している。
【００５５】
本体４は、前面４ａと、後面４ｂと、を備える。後面４ｂは、前面４ａに対して間隔を置いて後方に位置する。後面４ｂは、壁面Ｘ２に対向しており、本実施形態では、壁面Ｘ２に沿っている。本実施形態に係る本体４では、前面４ａは、構造体３の左右方向の両端の脚４１の前面４ａと、第一前横桟４５２の前面４ａと、を含む平面であり、前面４ａは、脚４１の前面４ａ等の実体のある面と、脚４１の間の開口面と、を含む。また、本実施形態に係る本体４では、後面４ｂは、構造体３の左右方向の両端の縦桟４９の後面４ｂと、縦桟４９の後面４ｂの延長線（延長した面）と、第一後横桟４５１の後面４ｂと、を含む平面である。後面４ｂは、前面４ａと同様、実体のある面と、縦桟４９の間の開口面と、を含む。
【００５６】
ここでいう「前面４ａ」は、脚４１等が平面を持つ場合に限らず、脚４１等が断面円形状である場合にも形成される。例えば、脚４１が断面円形状である場合、稜線で囲まれた開口面を「前面４ａ」とする。「後面４ｂ」についても同様である。
【００５７】
第一後横桟４５１及び第二後横桟４８１は、上述のように、壁面Ｘ２に固着体によって取り付けられている。要するに、後面４ｂは壁面Ｘ２に取り付けられ、これにより、後面４ｂは壁面Ｘ２に対して固定されている。
【００５８】
本実施形態に係る本体４では、前面４ａと後面４ｂとの間の寸法Ｈ１は、図３に示すように、水受け部２２の前後方向の寸法Ｈ２よりも小さい。言い換えると、構造体３の前面４ａは、前後方向において、カウンタ２の前端よりも壁面Ｘ２側に位置している。前面４ａと後面４ｂとの間の寸法Ｈ１は、本実施形態では、水受け部２２の前後方向の寸法Ｈ２の１／２以下であり、より好ましくは１／３以下である。
【００５９】
本体４は、本実施形態では、扁平である。ここでいう「扁平」とは、前面４ａに対する側面（本体４の左右方向を向く面）の面積比が、十分に小さいことを意味し、例えば、１／１０以下である。
【００６０】
（１．２．３．２）排水配管
水受け部２２の排水口２４２と、建物側に設けられた排水部Ｘ３とは、図３に示すように、排水経路でつながっている。排水経路は、排水口２４２から排水された水が通る経路であり、本実施形態では、排水配管５と、フレキシブル管５４と、で実現されている。
【００６１】
排水配管５は、平面視において本体４の前面４ａと後面４ｂとの間に配置されており、水受け部２２の内部に通じる。排水配管５の下流側の端部は、フレキシブル管５４を介して排水部Ｘ３に接続される。排水配管５は、取付け具６によって、本体４に取り付けられている。排水配管５は、図２に示すように、排水トラップ５２と、パイプ５３と、複数の接続部５１と、を備える。
【００６２】
排水トラップ５２は、排水口２４２と排水部Ｘ３との間の排水経路に設けられ、排水部Ｘ３から逆流する悪臭や硫化水素等のガスを遮り、また例えば、衛生害虫、ネズミの侵入を防ぐ装置である。排水トラップ５２は、本実施形態ではＳ字トラップである。ただし、排水トラップ５２としては、Ｓ字トラップに限らず、Ｕ字トラップ、Ｐ字トラップ等の管トラップのほか、ベルトラップ、ドラムトラップ等であってもよい。また、本開示では、排水配管５として、排水トラップ５２はなくてもよい。
【００６３】
パイプ５３は、排水トラップ５２につながっている配管である。パイプ５３は、本実施形態では、竪管５３１、Ｌ型継手５３２（エルボ）及び横管５３３を備える。横管５３３は、水流れ方向の下流側に行くに従って下方向に行くように傾斜している。この横管５３３の勾配は、後述の取付け具６による高さ調整で実現されている。
【００６４】
パイプ５３は、本実施形態では、合成樹脂製であり、より詳しくはポリ塩化ビニル製である。ただし、本開示では、パイプ５３の素材に特に制限はなく、例えば、鋼製、ステンレス製、アルミニウム製、陶器製、銅製等であってもよい。
【００６５】
複数の接続部５１は、排水配管５の流れ方向の両端部にそれぞれ設けられている。ここでは、排水配管５の流れ方向のうちの上流側の接続部５１を第一接続部５１１とし、下流側の接続部５１を第二接続部５１２とする。第一接続部５１１は、排水接続部２５に接続される。第一接続部５１１は、本実施形態では、排水トラップ５２の上流側の端部に設けられている。第一接続部５１１は、排水接続部２５に対してねじ込んで接続されるが、例えば、嵌め込みで接続されてもよい。また、第一接続部５１１は、ユニオンで構成されてもよく、排水接続部２５に対して取外し可能に接続されてもよい。
【００６６】
第二接続部５１２は、建物側に設けられた排水部Ｘ３に対して、直接的又は間接的に、接続される部分である。本実施形態では、第二接続部５１２は、フレキシブル管５４を介して、間接的に排水部Ｘ３に接続される。したがって、第二接続部５１２は、本実施形態では、フレキシブル管５４に接続される。
【００６７】
第二接続部５１２の中心軸は鉛直面に交差する。第二接続部５１２の中心軸は、第二接続部５１２の開口面に直交する。第二接続部５１２の中心軸は、本実施形態では、左右方向に沿っている。
【００６８】
排水部Ｘ３は、建物側に設けられている。本開示でいう「建物側に設けられる」とは、キッチン設備が設けられている建物につながっていることを意味する。したがって、本開示でいう「建物側に設けられる」とは、例えば、柱や根太等の構造体、内装壁、床材等に取り付けられていることを含む。排水部Ｘ３は、本実施形態では、図５に示すように、壁面Ｘ２から突出する配管である。排水部Ｘ３は、公共の下水道につながっている。排水部Ｘ３に流された水は、下水道に流される。排水部Ｘ３は、設置面Ｘ１に設けられてもよい。
【００６９】
排水部Ｘ３の配管の中心軸は、前後方向に略平行である。また、排水部Ｘ３の中心軸の設置面Ｘ１に対する高さ位置は、第二接続部５１２の中心軸の設置面Ｘ１に対する高さ位置とは、異なっている。したがって、壁面Ｘ２から突出する配管に対して第二接続部５１２を接続するには、通常は、配管を加熱して変形させる等の現場作業が必要となる。
【００７０】
これに対し、本実施形態では、第二接続部５１２と排水部Ｘ３との間の少なくとも一部に、フレキシブル管５４を含む。したがって、第二接続部５１２と排水部Ｘ３とで中心軸に高さの差があっても、施工性がよく、作業者の技量によらず適切な据付け作業を実現できる。
【００７１】
（１．２．３．３）取付け具
取付け具６は、本体４に取り付けられ、かつ排水配管５が取り付けられる。取付け具６は、本実施形態では、図２Ａに示すように、本体４の下枠４８（第二連結桟４８３）に取り付けられており、排水配管５を吊り下げる。取付け具６は、本実施形態では、図２Ｂに示すように、第一取付け部７と、第二取付け部８と、を備える。
【００７２】
第一取付け部７は、本体４に取り付けられる部分である。第一取付け部７は、本体４の下枠４８に取り付けられ、下枠４８に対して固定される。第一取付け部７は、本実施形態では正面視略Ｃ字状に形成された押しボルト付きクランプで構成される。ただし、第一取付け部７は、本体４に対して取付け可能であればよく、クランプでなくてもよい。第一取付け部７は、本体４の下枠４８に対し、例えば、ねじ止め、引っ掛け、嵌め込み、挟み込み、ボルト・ナット止め、ピン止め、差し込み、溶接、溶着等で取り付けられてもよい。
【００７３】
第二取付け部８は、第一取付け部７に対して、上下方向に位置変更可能に取り付けられている。第二取付け部８は、軸部８１と、配管保持部８４と、を備える。軸部８１の長手方向は、上下方向に沿っている。軸部８１は、本実施形態では、外周面に雄ねじが形成された長ねじ（寸切りボルト）である。軸部８１は、第一取付け部７に対して、ボルトのねじ込み位置を変えることで、無段階で、配管保持部８４の上下方向の位置を変えることができる。配管保持部８４は、排水配管５のうちの横管５３３を保持する。本実施形態に係る配管保持部８４は、リング状の保持部８４１と、保持部８４１から上方向に突出する軸部取付け部８４２と、を備える。保持部８４１は、排水配管５の外周に取り付けられる。軸部取付け部８４２は、軸部８１の下端部に取り付けられている。
【００７４】
取付け具６は、排水配管５の長手方向に沿って複数（ここでは二つ）ある。複数の取付け具６において、第一取付け部７に対して、第二取付け部８の上下方向の位置を調整することで、排水配管５の位置及び勾配を調整することができる。
【００７５】
（１．２．３．４）覆い壁
覆い壁９は、本体４の前面４ａに対して、取外し可能に取り付けられる。覆い壁９は、図３に示すように、上下方向において、設置面Ｘ１からカウンタ２の下面（ケース２６下面）までを覆う。覆い壁９は、図９に示すように、筋交い４７に対応する箇所に切欠き９１が形成されている。ここでいう「切欠き９１」は、対象物から所定箇所を切り欠いたような形状を持つ部分を意味する。したがって、本開示でいう「切欠き９１」には、矩形状の覆い壁９から、対応する箇所を切り欠くことのほか、例えば、一部を切り取ったような形状となるように、樹脂成形やプレス成形等で一体成形されたものも含む。
【００７６】
覆い壁９は、本体４に対し、固着体で取り付けられている。本実施形態では、固着体は、複数のねじである。ただし、本開示では、覆い壁９はフレームに対して、引掛け、差し込み、けんどん、嵌め込み等の取付け方法で取り付けられてもよい。
【００７７】
覆い壁９の前面は、壁面Ｘ２と同系色であることが好ましい。本開示でいう「同系色」とは、色相環において、二つの色と色相環の中心とを結ぶ線のなす角が、６０度以下であることを意味する。本実施形態において、壁面Ｘ２の色と覆い壁９との色とが、同系色であると、構造体３を目立たなくできる。
【００７８】
（１．３）製造方法
次に、本実施形態に係るキッチン設備を製造する方法を説明する。本実施形態では、作業者は、建築現場に各構成部材を搬入し、建築現場にて、キッチン設備を組み立てることで、キッチン設備を製造する。本実施形態に係るキッチン設備の製造方法は、図５〜１０に示すように、第一工程と、第二工程と、第三工程と、第四工程と、を備える。
【００７９】
第一工程は、構造体３を設置面Ｘ１上に設置する工程である。作業者は、図５に示すように、キッチン設備を設置する部屋内の所定の位置において本体４を置く。作業者は、本体４を置いた後、高さ調整部４３によって、本体４の上面の水平度を調整する。そして、作業者は、第一後横桟４５１と第二後横桟４８１とを、固着体によって壁面Ｘ２に取り付け、壁面Ｘ２に対して本体４を固定する。
【００８０】
次いで、作業者は、図６に示すように、構造体３における前面４ａと後面４ｂとの間に、排水配管５を配置する。このとき、作業者は、取付け具６の第二取付け部８に排水配管５の横管５３３を取り付け、本体４の第二連結桟４８３に第一取付け部７を取り付ける。そして、作業者は、第一取付け部７に対する第二取付け部８の上下方向の位置を調整し、排水配管５の横管５３３の勾配を調整する。これによって、構造体３は設置面Ｘ１上に設置される。
【００８１】
第二工程は、第一工程の後、排水配管５を排水部Ｘ３につなぐ工程である。本実施形態では、排水部Ｘ３は、壁面Ｘ２に設けられている。作業者は、図６に示すように、排水配管５の接続部５１（第二接続部５１２）と、排水部Ｘ３との間に、フレキシブル管５４を接続する。第二接続部５１２と排水部Ｘ３との間の経路の少なくとも一部にフレキシブル管５４を含むことで、第二接続部５１２と排水部Ｘ３との中心軸同士がずれていても、容易に配管施工を行うことができる。
【００８２】
第三工程は、構造体３の上に水受け部２２を設置する工程である。本実施形態では、構造体３の上に、水受け部２２を有するカウンタ２を取り付ける。作業者は、図７に示すように、複数の箱体２７を構造体３の上面（載置部４４の上面）に載せ、構造体３に対して、各箱体２７を固着体によって取り付ける。また、作業者は、壁面Ｘ２に対して、各箱体２７を固着体によって取り付ける。壁面Ｘ２に対する箱体２７の取付けは、例えば、箱体２７の背板２７２の内側からねじをねじ込んだり、箱体２７の背板２７２と壁面Ｘ２とを接着剤で接着したりすることが挙げられる。これによって、各箱体２７は、壁面Ｘ２に対して固定される。
【００８３】
次いで作業者は、図８に示すように、複数の箱体２７（すなわちケース２６）の上にワークトップ２８を取り付ける。作業者は、ワークトップ２８に、水受け部２２を取り付け、このワークトップ２８をケース２６の上に取り付ける。これによって、構造体３の上に水受け部２２を有するカウンタ２が設置される。その後、ワークトップ２８の機器設置部２８１に対して加熱調理機器２１を設置する。なお、ワークトップ２８に加熱調理機器２１を設置した上で、ワークトップ２８をケース２６の上に取り付けてもよい。
【００８４】
第四工程は、第一工程及び第三工程の後、水受け部２２と排水配管５とをつなぐ工程である。本実施形態では、第四工程は、第三工程の後で実施される。作業者は、図９に示すように、水受け部２２の排水口２４２につながる排水接続部２５と、排水配管５とを接続する。
【００８５】
この後、作業者は、給水栓１１を設置する工程を実行する。作業者は、給水栓１１に対して給水管を接続する。給水管は、本実施形態では、構造体３の前面４ａと後面４ｂとの間に配置される。給水管を配管した後、作業者は、覆い壁９を、構造体３の前面４ａに取り付ける。このとき、覆い壁９の切欠き９１に対して筋交い４７を通す。
【００８６】
そして、作業者は、図１０に示すように、キャビネット１２及び食器洗浄機１３を設置する。キャビネット１２は、カウンタ２及び構造体３に対し、左右方向に隣接する。食器洗浄機１３は、カウンタ２の下方に配置される。これによって、本実施形態に係るキッチン設備の製造が完了する。
【００８７】
本実施形態に係る製造方法では、食器洗浄機１３のみカウンタ２の下方に配置されたが、ユーザの要望に応じて、カウンタ２の下方に、複数のキャビネットを配置してもよい。また、キャビネット１２を、カウンタ２及び構造体３の右側、左側又は両側に適宜設置することもできる。したがって、本実施形態に係るキッチン設備によれば、キッチン設備の各構成部材の配置を容易に変えることができ、同じ構成部材を用いて、ユーザのニーズに応じた多種類の構成を実現することができる。
【００８８】
本実施形態に係る製造方法によれば、壁面Ｘ２に沿って構造体３を配置して、排水配管５を設置することができるため、壁材を切り欠いたりする大掛かりな施工が不要である。このため、最小限の施工で、キッチン設備を製造することができ、作業者の技量によらず適切に施工を行うことができる。しかも、本実施形態に係るキッチン設備によれば、壁材の切り落とし等の施工を行うことなく据付けを行うことができるため、マンション等に対する施工や、リフォームによる設置にも適している。
【００８９】
また、本実施形態に係る製造方法によれば、構造体３の上面の高さ位置の調整を行った上で、カウンタ２を取り付けるため、高さ調整を行う際に重量物を持ち上げる必要がなく、施工性がよい。また、構造体３がフレームであるため、構造体３自体が比較的軽量であり、高さ調整も容易にできる。
【００９０】
（２）変形例
上記実施形態は、本開示の様々な実施形態の一つに過ぎない。実施形態は、本開示の目的を達成できれば、設計等に応じて種々の変更が可能である。以下に説明する変形例は、適宜組み合わせて適用可能である。
【００９１】
（２．１）変形例１
本変形例では、上記実施形態に係る排水設備と比べて、取付け具６の構造が異なる。変形例１に係る取付け具６は、図１１Ａ，１１Ｂに示すように、第一取付け部７と、第二取付け部８と、を備える。
【００９２】
第一取付け部７は、本体４の下枠４８（具体的には、第二連結桟４８３）に取り付けられる。第一取付け部７は、上板７１と、下板７２と、受け板７３と、連結板７４と、を備える。上板７１は、下枠４８（第二連結桟４８３）の上に位置する。下板７２は、上板７１の下方に対向しており、第二連結桟４８３の下に位置する。受け板７３は、第二取付け部８を支える板であり、本変形例では切欠き７３１が形成される。受け板７３は、下板７２の下方に配置される。連結板７４は、上板７１、下板７２及び受け板７３をつなぐ。
【００９３】
第二取付け部８は、第一取付け部７に対して、取外し可能に取り付けられる。第二取付け部８は、軸部８１と、配管保持部８４と、を備える。本変形例では、軸部８１が長手方向に伸縮することで、配管保持部８４の上下方向の位置が可変となる。したがって、本開示において第二取付け部８が第一取付け部７に対して上下方向に位置変更可能に取り付けられる、とは、少なくとも排水配管５が取り付けられる部分（つまり、配管保持部８４）が、上下方向に位置変更可能であればよい。軸部８１は、第一軸部８２と、第二軸部８３と、を備える。
【００９４】
第一軸部８２は、差し込み片８２１と、差し込み片８２１から下方向に突出する固定軸８２２と、を備える。差し込み片８２１は、第一取付け部７の受け板７３の上面に載る。固定軸８２２は、差し込み片８２１から下方向に突出した突出部８２３と、突出部８２３に取り付けられた筒体部８２４と、を備える。筒体部８２４は、上下方向に沿って一定のピッチで形成された複数の貫通孔８２５を備える。
【００９５】
第二軸部８３は、下端に配管保持部８４が取り付けられ、かつ筒体部８２４の内部に通される軸部本体８３１と、軸部本体８３１の外周面から突出する係止突起８３２と、を備える。係止突起８３２は、貫通孔８２５に対し内側から外側に向かって通される。係止突起８３２は、突出方向に位置変更可能であり、常時、外側に向かって弾性的に押されている。
【００９６】
係止突起８３２を筒体部８２４の外側から押し込むと、筒体部８２４に対して、第二軸部８３を、筒体部８２４の軸方向に沿って移動させることができる。筒体部８２４の複数の貫通孔８２５のうちの一の貫通孔８２５に対して、係止突起８３２を入れることで、軸部８１の長手方向の長さを調整することができる。これにより、配管保持部８４の上下方向の位置を調整することができる。
【００９７】
本変形例に係る複数の取付け具６は、図１１Ａに示すように、排水配管５の横管５３３の長手方向において、間隔をおいて取り付けられる。複数の取付け具６の各々の配管保持部８４の上下方向の位置を調整することで、排水配管５の横管５３３の勾配を調整することができる。
【００９８】
なお、本変形例に係る取付け具６では、第一取付け部７として、上板７１と、下板７２と、受け板７３と、連結板７４と、を備える部材を用いたが、これに限らず、上板７１と、下板７２と、受け板７３と、連結板７４と、を備える部材はなくてもよい。この場合、差し込み片８２１に相当する部分を、直接、本体４の下枠４８に固着体によって取り付けてもよい。この一変形例では、差し込み片８２１に相当する部分が第一取付け部７であり、軸部本体８３１と配管保持部８４とが第二取付け部８である。
【００９９】
（２．２）変形例２
本変形例に係る構造体３は、図１２に示すように、高さ調整部４３の構造が、上記実施形態とは異なっている。また、上記実施形態では、脚４１が前面４ａに沿ってのみ形成されたが、本変形例では、脚４１は、前面４ａ及び後面４ｂに沿って形成されている。その他の構造は、上記実施形態と同じである。
【０１００】
本変形例では、高さ調整部４３は、接地部４３２と、回転部４３３と、を備える。接地部４３２は、設置面Ｘ１上に載る。回転部４３３は、接地部４３２に対して、回転可能に取り付けられる。回転部４３３の回転軸は、上下方向に平行である。回転部４３３の上端には、ねじ部４３４が形成されている。したがって、ねじ部４３４は、上下方向に沿った回転軸回りに回転可能である。
【０１０１】
ねじ部４３４は、脚本体４２の下端面にねじ込まれている。したがって、回転部４３３を回転軸回りの一方向（例えば、平面視で右回り）に沿って回転させると、脚本体４２が上方向に移動する。一方、回転部４３３を回転軸回りの他方向（例えば、平面視で左回り）に沿って回転させると、脚本体４２が下方向に移動する。これによって、本体４の上面の高さ位置を調整することができる。
【０１０２】
また、本変形例では、脚４１が、構造体３において前側と後側との両方にある。このため、第一後横桟４５１及び第二後横桟４８１を、壁面Ｘ２に対して取り付けなくても、安定して自立する。もちろん、第一後横桟４５１と第二後横桟４８１との少なくとも一方を壁面Ｘ２に対して固定してもよい。
【０１０３】
（２．３）その他の変形例
以下、実施形態の変形例を列挙する。
【０１０４】
上記実施形態では、カウンタ２は、ワークトップ２８とケース２６とを備えたが、本開示では、ワークトップ２８のみで構成されてもよい。
【０１０５】
上記実施形態では、加熱調理機器２１を有するキッチン設備であったが、本開示では、加熱調理器及び作業面２８３はなくてもよく、要するに、排水設備１は流し台であってもよい。
【０１０６】
上記実施形態では、構造体３は、枠状のフレームで構成されたが、本開示では、構造体３は、面材で構成されてもよい。また、構造体３の前方向のスペースはなくてもよく、構造体３の前面とカウンタ２の前面とが同じ鉛直上に位置してもよい。
【０１０７】
上記実施形態及び変形例３では、取付け具６は、第一取付け部７の下方に配管保持部８４が位置する、いわゆる吊り下げ式であったが、本開示に係る取付け具６は、配管保持部８４が第一取付け部７よりも上方向に位置していてもよい。
【０１０８】
上記実施形態では、第一工程、第二工程、第三工程及び第四工程は、この順番で実行されたが、本開示に係る製造方法では、第二工程を、第三工程又は第四工程の後に実行してもよい。また、第一工程において、予め排水配管５が取り付けられた構造体３を、建築現場に搬入してもよい。
【０１０９】
また上記実施形態に係る第二工程では、排水配管５として、予め排水トラップ５２を含む排水配管５を排水部Ｘ３につないだが、本開示に係る第二工程では、排水配管５として、排水トラップ５２を除くパイプ５３のみを用い、パイプ５３と排水部Ｘ３とをつないでもよい。この場合、第四工程において、パイプ５３と、水受け部２２の排水口２４２とをつなぐ際に、排水トラップ５２を接続してもよい。また、第三工程において、予め排水口２４２に排水トラップ５２が取り付けられた水受け部２２を用いて、構造体３の上に水受け部２２を設置し、第四工程で、排水トラップ５２と、排水配管５としてのパイプ５３とをつないでもよい。また、第二工程の後でかつ第三工程の前に、別の業者によって、排水トラップ５２を取り付ける工程を実行してもよい。
【０１１０】
上記実施形態では、第一後横桟４５１及び第二後横桟４８１が壁面Ｘ２に対して取り付けられたが、本開示では、第一後横桟４５１及び第二後横桟４８１のいずれか一方が壁面Ｘ２に対して取り付けられてもよい。また、変形例２で説明したように、第一後横桟４５１と第二後横桟４８１との両方が壁面Ｘ２に対して取り付けられなくてもよい。
【０１１１】
上記実施形態では、排水配管５において横管５３３は、排水配管５の下流側の端部を含む位置に形成されたが、本開示では、横管５３３が下流側の端部になくてもよく、横管５３３の流れ方向の両側に竪管５３１があってもよい。
【０１１２】
上記実施形態では、取付け具６には横管５３３が取り付けられたが、本開示では、取付け具６は、竪管５３１が取り付けられてもよい。また、上記実施形態では取付け具６は複数あったが、一つの取付け具６に排水配管５が取り付けられてもよく、本開示に係る取付け具６は、少なくとも一つあればよい。
【０１１３】
本開示にて、「略平行」、又は「略直交」のように「略」を伴った表現が、用いられる場合がある。例えば、「略平行」とは、実質的に「平行」であることを意味し、厳密に「平行」な状態だけでなく、数％程度の誤差を含む意味である。他の「略」を伴った表現についても同様である。
【０１１４】
また、本開示において「前端部」及び「前端」などのように、「…端部」と「…端」とで区別した表現が用いられている。例えば、「前端部」とは、「前端」を含む一定の範囲を持つ部分を意味する。他の「…端部」を伴った表現についても同様である。
【０１１５】
（３）態様
以上説明したように、第１の態様に係る構造体（３）は、水平面に沿う設置面（Ｘ１）と、設置面（Ｘ１）に対して間隔をおいて上方に配置された水受け部（２２）と、の間に配置される。構造体（３）は、本体（４）と、排水配管（５）と、取付け具（６）と、を備える。本体（４）は、前面（４ａ）、及び前面（４ａ）に対し間隔をおいて後方に位置する後面（４ｂ）を有する。排水配管（５）は、平面視において、前面（４ａ）と後面（４ｂ）との間に配置され、水受け部（２２）に通じる。取付け具（６）は、本体（４）に取り付けられ、かつ排水配管（５）が取り付けられる。
【０１１６】
この態様によれば、構造体（３）の内部で排水配管（５）を配管することができ、建物側に設けられた排水部（Ｘ３）の位置に影響を受けず、水受け部（２２）の位置を決めることができる。
【０１１７】
第２の態様に係る構造体（３）では、第１の態様において、排水配管（５）は、水平面に沿う横管（５３３）を有する。取付け具（６）は、本体（４）に取り付けられた第一取付け部（７）と、第一取付け部（７）に対して上下方向に位置変更可能に取り付けられた第二取付け部（８）と、を有する。第二取付け部（８）には横管（５３３）が取り付けられる。
【０１１８】
この態様によれば、取付け具（６）によって、横管（５３３）の上下方向の位置及び横管（５３３）の勾配を、容易に調整することができる。
【０１１９】
第３の態様に係る構造体（３）では、第１又は第２の態様において、本体（４）は、設置面（Ｘ１）に対する本体（４）の上面の高さ位置を可変とする高さ調整部（４３）を有する。
【０１２０】
この態様によれば、本体（４）の上面に載る水受け部（２２）の高さ位置を容易に調整することができ、また、設置面（Ｘ１）に不陸がある場合にも、本体（４）の上面の水平度を容易に調整することができる。
【０１２１】
第４の態様に係る構造体（３）では、第１〜第３のいずれか一つの態様において、排水配管（５）は、下流側の端部に形成された接続部（５１）を有する。接続部（５１）は、建物側に設けられた排水部（Ｘ３）に接続可能である。
【０１２２】
この態様によれば、作業者は、構造体（３）を設置面（Ｘ１）上に設置した後に、排水配管（５）を排水部（Ｘ３）に接続する作業を容易にできる。
【０１２３】
第５の態様に係る構造体（３）では、第４の態様において、接続部（５１）の開口面に直交する中心軸は鉛直面に交差する。
【０１２４】
この態様によれば、排水配管（５）と建物側に設けられた排水部（Ｘ３）との間に距離があっても、両者をつなぎやすい。
【０１２５】
第６の態様に係る構造体（３）では、第１〜第５のいずれか一つの態様において、前面（４ａ）と後面（４ｂ）との間の寸法は、水受け部（２２）の前後方向の寸法よりも小さい。
【０１２６】
この態様によれば、水受け部（２２）の下方にスペースがある、いわゆるフロートタイプの水受け部（２２）に対応することができる。
【０１２７】
第７の態様に係る排水設備（１）は、水平面に沿う設置面（Ｘ１）上に設置される構造体（３）と、構造体（３）の上に取り付けられた水受け部（２２）と、を備える。構造体（３）は、本体（４）と、排水配管（５）と、取付け具（６）と、を備える。本体（４）は、前面（４ａ）、及び前面（４ａ）に対し間隔をおいて後方に位置する後面（４ｂ）を有する。排水配管（５）は、平面視において、前面（４ａ）と後面（４ｂ）との間に配置され、水受け部（２２）に通じる。取付け具（６）は、本体（４）に取り付けられ、かつ排水配管（５）が取り付けられる。
【０１２８】
この態様によれば、構造体（３）の内部で排水配管（５）を配管することができ、建物側に設けられた排水部（Ｘ３）の位置に影響を受けず、排水設備（１）の位置を決めることができる。
【０１２９】
第８の態様に係る排水設備（１）は、第７の態様において、水受け部（２２）がシンクである。
【０１３０】
この態様によれば、シンクを有するキッチン設備においても、建物側に設けられた排水部（Ｘ３）の位置に影響を受けず、設置する位置を決めることができる。
【０１３１】
第９の態様に係る排水設備（１）は、第７又は第８の態様において、排水配管（５）は、下流側の端部に形成され建物側に設けられた排水部（Ｘ３）につながる接続部（５１）を有する。排水設備（１）は、排水部（Ｘ３）と接続部（５１）とをつなぐ経路の少なくとも一部に設けられたフレキシブル管（５４）を更に備える。
【０１３２】
この態様によれば、排水部（Ｘ３）の位置によらず、容易に排水設備（１）の配管作業を行うことができる。
【０１３３】
第１０の態様に係る排水設備（１）の製造方法は、第一工程と、第二工程と、第三工程と、第四工程と、を備える。第一工程は、第１〜第６のいずれか一つの構造体（３）を設置面（Ｘ１）上に設置する。第二工程は、第一工程の後、排水配管（５）を建物側に設けられた排水部（Ｘ３）につなぐ。第三工程は、構造体（３）の上に水受け部（２２）を設置する。第四工程は、第一工程及び第三工程の後、水受け部（２２）と排水配管（５）とをつなぐ。
【０１３４】
この態様によれば、構造体（３）を用いて、容易に排水設備（１）を製造することができる。
【０１３５】
第２〜第６の態様に係る構成については、構造体（３）に必須の構成ではなく、適宜省略可能である。第８〜第９の態様に係る構成については、排水設備（１）に必須の構成ではなく、適宜省略可能である。
【符号の説明】
【０１３６】
１      排水設備
２２      水受け部
３      構造体
４      本体
４ａ    前面
４ｂ    後面
４３      高さ調整部
５      排水配管
５１      接続部
５３３      横管
５４      フレキシブル管
６      取付け具
７      第一取付け部
８      第二取付け部
Ｘ１      設置面
Ｘ３      排水部
Ｈ１      前面と後面との間の寸法
Ｈ２      水受け部の前後方向の寸法
【図１】
2020084742.tif 000003
【図２】
2020084742.tif 000004
【図３】
2020084742.tif 000005
【図４】
2020084742.tif 000006
【図５】
2020084742.tif 000007
【図６】
2020084742.tif 000008
【図７】
2020084742.tif 000009
【図８】
2020084742.tif 000010
【図９】
2020084742.tif 000011
【図１０】
2020084742.tif 000012
【図１１】
2020084742.tif 000013
【図１２】
2020084742.tif 000014
【手続補正書】
【提出日】平成31年4月8日(2019.4.8)
【手続補正１】
【補正対象書類名】特許請求の範囲
【補正対象項目名】全文
【補正方法】変更
【補正の内容】
【特許請求の範囲】
【請求項１】
水平面に沿う設置面と、前記設置面に対して間隔をおいて上方に配置された水受け部と、の間に配置される構造体であって、
前面、及び前記前面に対し間隔をおいて後方に位置する後面を有する本体と、
平面視において前記前面と前記後面との間に配置され、前記水受け部に通じる排水配管と、
前記本体に取り付けられ、かつ前記排水配管が取り付けられた取付け具と、
を備え、
前記本体は、前記水受け部の下方に位置して前記取付け具が取り付けられた下枠を有し、
前記下枠は、横桟と、前後方向に伸びる連結桟と、を有する、
構造体。
【請求項２】
前記排水配管は、水平面に沿う横管を有し、
前記取付け具は、
前記本体に取り付けられた第一取付け部と、
前記横管が取り付けられ、前記第一取付け部に対して上下方向に位置変更可能に取り付けられた第二取付け部と、
を有する、
請求項１記載の構造体。
【請求項３】
前記本体は、前記設置面に対する前記本体の上面の高さ位置を可変とする高さ調整部を有する、
請求項１又は請求項２記載の構造体。
【請求項４】
前記排水配管は、下流側の端部に形成され建物側に設けられた排水部に接続可能な接続部を有する、
請求項１〜３のいずれか一項に記載の構造体。
【請求項５】
前記接続部の開口面に直交する中心軸は鉛直面に交差する、
請求項４記載の構造体。
【請求項６】
前記前面と前記後面との間の寸法は、前記水受け部の前後方向の寸法よりも小さい、
請求項１〜５のいずれか一項に記載の構造体。
【請求項７】
水平面に沿う設置面上に設置される構造体と、
前記構造体の上に取り付けられた水受け部と、
を備え、
前記構造体は、
前面、及び前記前面に対し間隔をおいて後方に位置する後面を有する本体と、
平面視において前記前面と前記後面との間に配置され、前記水受け部に通じる排水配管と、
前記本体に取り付けられ、かつ前記排水配管が取り付けられた取付け具と、
を有し、
前記本体は、前記水受け部の下方に位置して前記取付け具が取り付けられた下枠を有し、
前記下枠は、横桟と、前後方向に伸びる連結桟と、を有する、
排水設備。
【請求項８】
前記水受け部がシンクである、
請求項７記載の排水設備。
【請求項９】
前記排水配管は、下流側の端部に形成され建物側に設けられた排水部につながる接続部を有し、
前記排水設備は、前記排水部と前記接続部とをつなぐ経路の少なくとも一部に設けられ
たフレキシブル管を更に備える、
請求項７又は請求項８記載の排水設備。
【請求項１０】
水平面に沿う設置面と、前記設置面に対して間隔をおいて上方に配置された水受け部と、の間に配置される構造体であって、
前面、及び前記前面に対し間隔をおいて後方に位置する後面を有する本体と、平面視において前記前面と前記後面との間に配置され、前記水受け部に通じる排水配管と、前記本体に取り付けられ、かつ前記排水配管が取り付けられた取付け具と、を備え、前記本体は高さ調整部を有する前記構造体を前記設置面上に設置する第一工程と、
前記第一工程の後、前記排水配管を建物側に設けられた排水部につなぐ第二工程と、
前記構造体の上に水受け部を設置する第三工程と、
前記第一工程及び前記第三工程の後、前記水受け部と前記排水配管とをつなぐ第四工程と、
を備え、
前記第一工程では、前記本体を所定の位置に置いた後、前記高さ調整部によって、前記本体の上面の水平度が調整される、
排水設備の製造方法。
【手続補正２】
【補正対象書類名】明細書
【補正対象項目名】０００７
【補正方法】変更
【補正の内容】
【０００７】
本発明に係る一態様の構造体は、水平面に沿う設置面と、前記設置面に対して間隔をおいて上方に配置された水受け部と、の間に配置される。前記構造体は、本体と、排水配管と、取付け具と、を備える。本体は、前面、及び前記前面に対し間隔をおいて後方に位置する後面を有する。排水配管は、平面視において前記前面と前記後面との間に配置され、前記水受け部に通じる。取付け具は、前記本体に取り付けられ、かつ前記排水配管が取り付けられる。前記本体は、前記水受け部の下方に位置して前記取付け具が取り付けられた下枠を有する。前記下枠は、横桟と、前後方向に伸びる連結桟と、を有する。
【手続補正３】
【補正対象書類名】明細書
【補正対象項目名】０００８
【補正方法】変更
【補正の内容】
【０００８】
本発明に係る一態様の排水設備は、水平面に沿う設置面上に設置される構造体と、前記構造体の上に取り付けられた水受け部と、を備える。前記構造体は、本体と、排水配管と、取付け具と、を備える。本体は、前面、及び前記前面に対し間隔をおいて後方に位置する後面を有する。排水配管は、平面視において前記前面と前記後面との間に配置され、前記水受け部に通じる。取付け具は、前記本体に取り付けられ、かつ前記排水配管が取り付けられる。前記本体は、前記水受け部の下方に位置して前記取付け具が取り付けられた下枠を有する。前記下枠は、横桟と、前後方向に伸びる連結桟と、を有する。
【手続補正４】
【補正対象書類名】明細書
【補正対象項目名】０００９
【補正方法】変更
【補正の内容】
【０００９】
本発明に係る一態様の排水設備の製造方法は、第一工程と、第二工程と、第三工程と、第四工程と、を備える。前記第一工程は、前記本体が高さ調整部を有する前記構造体を前記設置面上に設置する。前記第二工程は、前記第一工程の後、前記排水配管を建物側に設けられた排水部につなぐ。前記第三工程は、前記構造体の上に水受け部を設置する。前記第四工程は、前記第一工程及び前記第三工程の後、前記水受け部と前記排水配管とをつなぐ。前記第一工程では、前記本体を所定の位置に置いた後、前記高さ調整部によって、前記本体の上面の水平度が調整される。
【手続補正書】
【提出日】令和1年10月2日(2019.10.2)
【手続補正１】
【補正対象書類名】特許請求の範囲
【補正対象項目名】全文
【補正方法】変更
【補正の内容】
【特許請求の範囲】
【請求項１】
水平面に沿う設置面と、前記設置面に対して間隔をおいて上方に配置された水受け部と、の間に配置される構造体であって、
前面、及び前記前面に対し間隔をおいて後方に位置する後面を有する本体と、
平面視において前記前面と前記後面との間に配置され、前記水受け部に通じる排水配管と、
前記本体に取り付けられ、かつ前記排水配管が取り付けられた取付け具と、
を備え、
前記本体は、前記水受け部の下方に位置して前記取付け具が取り付けられた下枠を有し、
前記下枠は、横桟と、前後方向に伸びる連結桟と、を有し、
前記取付け具は、前記連結桟に取り付けられている、
構造体。
【請求項２】
前記排水配管は、水平面に沿う横管を有し、
前記取付け具は、
前記本体に取り付けられた第一取付け部と、
前記横管が取り付けられ、前記第一取付け部に対して上下方向に位置変更可能に取り付けられた第二取付け部と、
を有する、
請求項１記載の構造体。
【請求項３】
前記本体は、前記設置面に対する前記本体の上面の高さ位置を可変とする高さ調整部を有する、
請求項１又は請求項２記載の構造体。
【請求項４】
前記排水配管は、下流側の端部に形成され建物側に設けられた排水部に接続可能な接続部を有する、
請求項１〜３のいずれか一項に記載の構造体。
【請求項５】
前記接続部の開口面に直交する中心軸は鉛直面に交差する、
請求項４記載の構造体。
【請求項６】
前記前面と前記後面との間の寸法は、前記水受け部の前後方向の寸法よりも小さい、
請求項１〜５のいずれか一項に記載の構造体。
【請求項７】
水平面に沿う設置面上に設置される構造体と、
前記構造体の上に取り付けられた水受け部と、
を備え、
前記構造体は、
前面、及び前記前面に対し間隔をおいて後方に位置する後面を有する本体と、
平面視において前記前面と前記後面との間に配置され、前記水受け部に通じる排水配管と、
前記本体に取り付けられ、かつ前記排水配管が取り付けられた取付け具と、
を有し、
前記本体は、前記水受け部の下方に位置して前記取付け具が取り付けられた下枠を有し、
前記下枠は、横桟と、前後方向に伸びる連結桟と、を有し、
前記取付け具は、前記連結桟に取り付けられている、
排水設備。
【請求項８】
前記水受け部がシンクである、
請求項７記載の排水設備。
【請求項９】
前記排水配管は、下流側の端部に形成され建物側に設けられた排水部につながる接続部を有し、
前記排水設備は、前記排水部と前記接続部とをつなぐ経路の少なくとも一部に設けられたフレキシブル管を更に備える、
請求項７又は請求項８記載の排水設備。
【請求項１０】
水平面に沿う設置面と、前記設置面に対して間隔をおいて上方に配置された水受け部と、の間に配置される構造体であって、
前面、及び前記前面に対し間隔をおいて後方に位置する後面を有する本体と、平面視において前記前面と前記後面との間に配置され、前記水受け部に通じる排水配管と、前記本体に取り付けられ、かつ前記排水配管が取り付けられた取付け具と、を備え、前記本体は、前記水受け部の下方に位置して前記取付け具が取り付けられた下枠を有し、前記下枠は、横桟と、前後方向に伸びる連結桟と、を有し、前記取付け具は、前記連結桟に取り付けられており、前記本体が高さ調整部を有する前記構造体を前記設置面上に設置する第一工程と、
前記第一工程の後、前記排水配管を建物側に設けられた排水部につなぐ第二工程と、
前記構造体の上に前記水受け部を設置する第三工程と、
前記第一工程及び前記第三工程の後、前記水受け部と前記排水配管とをつなぐ第四工程と、
を備え、
前記第一工程では、前記本体を所定の位置に置いた後、前記高さ調整部によって、前記本体の上面の水平度が調整される、
排水設備の製造方法。
【手続補正２】
【補正対象書類名】明細書
【補正対象項目名】０００７
【補正方法】変更
【補正の内容】
【０００７】
本発明に係る一態様の構造体は、水平面に沿う設置面と、前記設置面に対して間隔をおいて上方に配置された水受け部と、の間に配置される。前記構造体は、本体と、排水配管と、取付け具と、を備える。本体は、前面、及び前記前面に対し間隔をおいて後方に位置する後面を有する。排水配管は、平面視において前記前面と前記後面との間に配置され、前記水受け部に通じる。取付け具は、前記本体に取り付けられ、かつ前記排水配管が取り付けられる。前記本体は、前記水受け部の下方に位置して前記取付け具が取り付けられた下枠を有する。前記下枠は、横桟と、前後方向に伸びる連結桟と、を有し、前記取付け具は、前記連結桟に取り付けられている。
【手続補正３】
【補正対象書類名】明細書
【補正対象項目名】０００８
【補正方法】変更
【補正の内容】
【０００８】
本発明に係る一態様の排水設備は、水平面に沿う設置面上に設置される構造体と、前記構造体の上に取り付けられた水受け部と、を備える。前記構造体は、本体と、排水配管と、取付け具と、を備える。本体は、前面、及び前記前面に対し間隔をおいて後方に位置する後面を有する。排水配管は、平面視において前記前面と前記後面との間に配置され、前記水受け部に通じる。取付け具は、前記本体に取り付けられ、かつ前記排水配管が取り付けられる。前記本体は、前記水受け部の下方に位置して前記取付け具が取り付けられた下枠を有する。前記下枠は、横桟と、前後方向に伸びる連結桟と、を有し、前記取付け具は、前記連結桟に取り付けられている。